(57)【要約】  本開示は、アンテナ素子と結合してアンテナシステムを形成するように設計された信号アグリゲータ構成要素に関し、結果として得られるアンテナシステムは、受信モードで１００％以上の効率を達成できる。それに加えて、アンテナシステムは、アンテナ放射パターンの異なるセクタにおいて、特定の偏波と利得を達成できる。信号アグリゲータは、任意の数のそのＲＦポートを動的に有効化または無効化して、アグリゲートするＲＦ入力信号を選択するように機能する。
2020537419.tif 000002
【特許請求の範囲】
【請求項１】
共通(common)ポートと、
複数の個別(discrete)ポートと、
複数の送信経路であって、前記送信経路の各々は、前記個別ポートのうちの１つを前記共通ポートに接続し、その結果、前記個別ポートの各々が、その間に延在する別個の送信経路を経由して前記共通ポートに結合される、複数の送信経路と、
ＲＦ信号バスであって、前記共通ポートは、前記ＲＦ信号バスにおいて、前記複数の送信経路の各々に結合される、ＲＦ信号バスと、
前記複数の送信経路の各々に一体化された１つまたは複数のサブ構成要素(sub-components)と
を備える、無線周波数（ＲＦ）信号アグリゲータ(aggregator)構成要素。
【請求項２】
前記１つまたは複数のサブ構成要素は、ＣＭＯＳ  ＲＦ反射型アイソレータを備える、請求項１に記載のＲＦ信号アグリゲータ構成要素。
【請求項３】
前記サブ構成要素は、サーキュレータ、アイソレータ、ダイオード、トランジスタ、カプラ、増幅器、およびジャイレータからなる群から個々に選択される、請求項１に記載のＲＦ信号アグリゲータ構成要素。
【請求項４】
体積(volume)内に一体化されたデュプレクサ(duplexer)をさらに備える、請求項１に記載のＲＦ信号アグリゲータ構成要素。
【請求項５】
体積内に一体化されたサーキュレータをさらに備える、請求項１に記載のＲＦ信号アグリゲータ構成要素。
【請求項６】
体積内に一体化されたＲＦスイッチをさらに備える、請求項１に記載のＲＦ信号アグリゲータ構成要素。
【請求項７】
アクティブ構成要素をさらに備え、前記アクティブ構成要素は、それぞれの前記送信経路および前記アクティブ構成要素に接続された、対応する個別ポートのインピーダンスをマッチングするために、前記送信経路の１つに結合される、請求項１に記載のＲＦ信号アグリゲータ構成要素。
【請求項８】
前記アクティブ構成要素は、電圧制御された調整可能なリアクタンス構成要素またはスイッチを備える、請求項７に記載のＲＦ信号アグリゲータ構成要素。
【請求項９】
アクティブ構成要素をさらに備え、前記アクティブ構成要素は、前記共通ポートからの電力伝送を最大化するために、前記共通ポートにおけるインピーダンスをマッチングするために前記共通ポートに結合される、請求項１に記載のＲＦ信号アグリゲータ構成要素。
【請求項１０】
前記アクティブ構成要素は、電圧制御された調整可能なリアクタンス構成要素を備える、請求項９に記載のＲＦ信号アグリゲータ構成要素。
【請求項１１】
共通ポート、
複数の個別ポート、
複数の送信経路であって、前記送信経路の各々は、前記個別ポートのうちの１つを前記共通ポートに接続し、その結果、前記個別ポートの各々が、その間に延在する別個の送信経路を経由して前記共通ポートに結合される、複数の送信経路、
ＲＦ信号バスであって、前記共通ポートは、前記ＲＦ信号バスにおいて、前記複数の送信経路の各々に結合される、ＲＦ信号バス、および
前記複数の送信経路の各々に一体化された１つまたは複数のサブ構成要素
を含む無線周波数（ＲＦ）信号アグリゲータ構成要素と、
複数の受信アンテナ素子であって、前記複数の受信アンテナ素子の各々は、前記信号アグリゲータ構成要素の前記複数の個別ポートのうちの１つに接続される、複数の受信アンテナ素子と
を備える、アンテナシステム。
【請求項１２】
前記複数の受信アンテナは、前記アンテナシステムの上部に配置された第１の受信アンテナ素子と、前記アンテナシステムの左側に配置された第２の受信アンテナ素子と、前記アンテナシステムの右側に配置された第３の受信アンテナ素子と、前記アンテナシステムの前面に配置された第４の受信アンテナ素子と、前記アンテナシステムの背面に配置された第５の受信アンテナ素子とを備え、前記アンテナシステムは、複数の別個の方向からの信号を受信するように適合された、請求項１１に記載のアンテナシステム。
【請求項１３】
前記第１から第５のアンテナ素子のうちの少なくとも２つは、別個の円偏波放射パターンを備える、請求項１２に記載のアンテナシステム。
【請求項１４】
前記第１から第５のアンテナ素子の各々が、ＧＰＳまたはＧＮＳＳ信号受信のための共振を考慮して設計された(designed with)アンテナを備える、請求項１３に記載のアンテナシステム。
【請求項１５】
１つまたは複数の送信アンテナ素子をさらに備える、請求項１１に記載のアンテナシステム。
【請求項１６】
前記１つまたは複数の送信アンテナ素子は、ＲＦスイッチに結合される、請求項１５に記載のアンテナシステム。
【請求項１７】
前記ＲＦスイッチおよび前記ＲＦ信号アグリゲータ構成要素の各々は、デュプレクサまたはサーキュレータに結合される、請求項１６に記載のアンテナシステム。
【請求項１８】
前記デュプレクサまたはサーキュレータは、トランシーバと接続するためにＲＦコネクタにさらに結合される、請求項１７に記載のアンテナシステム。
【請求項１９】
前記受信アンテナ素子または前記送信アンテナ素子のうちの１つまたは複数は、アクティブマルチモードアンテナ素子を備える、請求項１８に記載のアンテナシステム。
【請求項２０】
前記アクティブマルチモードアンテナ素子は、帯域切替、インピーダンスマッチング、ヌルステアリング、ビームステアリング、またはそれらの組合せを備える、請求項１９に記載のアンテナシステム。
【発明の詳細な説明】
【技術分野】
【０００１】
本願発明の一実施例は、例えば、ＲＦ信号アグリゲータおよびそれを実装するアンテナシステムに関する。
【背景技術】
【０００２】
[0001]アンテナシステムは、従来のデバイスを、セルラネットワーク、ワイヤレスローカルエリアネットワーク、グローバルポジショニングなどに接続するために、従来のデバイスに広く実装される。これらのアンテナシステムは一般に、受信機回路において信号を受信（「受信」または「ＲＸ」）し、送信機回路において信号を送信（「送信」または「ＴＸ」）し、またはトランシーバ回路において受信と送信との両方を行うように機能する。
【０００３】
[0002]物理法則は、単一のパッシブアンテナが、１００パーセントの効率（０ｄＢ）を超えることはできないと規定する。パッシブアンテナ、つまり放射パターンが固定されたアンテナは、エネルギーを生成できず、むしろ、ある状態から別の状態にエネルギーをシェーピングするだけである。
【発明の概要】
【発明が解決しようとする課題】
【０００４】
[0003]しかしながら、物理法則を回避することが可能である場合、１００パーセント以上の効率を達成するアンテナシステムに対する顕著なニーズがあり、このようなアンテナシステムは画期的な革新となるであろう。さらに、放射パターンの異なるセクタにおいて、特定の偏波を維持できるアンテナシステムに対するニーズがある。
【課題を解決するための手段】
【０００５】
[0004]本開示は、１つまたは複数のアンテナ素子と結合してアンテナシステムを形成するように設計された無線周波数（ＲＦ）信号アグリゲータ構成要素に関し、結果として得られるアンテナシステムは、受信（Ｒｘ）モードで１００パーセント以上の効率を達成できる。それに加えて、アンテナシステムは、アンテナ放射パターンの異なるセクタにおいて、特定の偏波および高利得を達成できる。
【０００６】
[0005]信号アグリゲータ構成要素は、一般に複数の送信経路を備え、各送信経路は、信号アグリゲータの共通ポートを、その複数の個別ポートのうちの１つに結合し、その結果、個別ポートの各々は、その間に延在する別個の送信経路を経由して共通ポートに結合される。信号アグリゲータは、ＲＦ信号バスをさらに備え、ＲＦ信号バスでは、送信経路の各々がアグリゲートされ得る。各個別ポートとＲＦ信号バスとの間にさらに実装されるものは、相補型金属酸化物半導体（ＣＭＯＳ）構成要素または強磁性材料ベースの構成要素であるＲＦ反射型アイソレータであり得る。反射型アイソレータは、それぞれの個別ポートの方向への望ましくないフィードバックを防止する働きをし、アンテナ素子はそれと結合するように構成される。
【０００７】
[0006]あるいは、反射型アイソレータの各々は、マルチポートＲＦサーキュレータ、ダイオード、トランジスタ、カプラ、増幅器、またはジャイレータとして個々に実装され得る。
【０００８】
[0007]それに加えて、１つまたは複数の個別ポートおよび共通ポートをそれぞれマッチングさせるために、１つまたは複数のサブ構成要素が実装され得、サブ構成要素は、当業者に理解されるように、スイッチ、調整可能なコンデンサ、調整可能なインダクタ、トランジスタ、他の電圧制御された調整可能な構成要素などから個々に選択され得る。
【０００９】
[0008]この点に関して、信号アグリゲータは、任意の数の個別ＲＦポートを、動的に有効化または無効化して、個別ポートのＲＦ入力信号のうちの１つまたは複数をそれぞれ選択して、アグリゲートするように機能する。
【００１０】
[0009]本発明の別の態様では、１つまたは複数のＲＸサブアンテナおよび任意の数までのＴＸサブアンテナを備えるアンテナシステムが開示され、各ＲＸサブアンテナは、本明細書に開示されるＲＦ信号アグリゲータ構成要素に結合される。この点に関して、ＲＸサブアンテナの各々は、別個の偏光、利得、放射パターン、および周波数帯域共振を使用して設計できる。そのため、アンテナシステムは、典型的なパッシブアンテナ設計では達成できない放射パターン特性を有するように構築できる。たとえば、複数の円偏波アンテナとＲＦ信号アグリゲータを実装するアンテナシステムを使用して、全方向で円偏波を達成できるが、パッシブアンテナは、放射パターンの一部でのみ円偏波を達成できる。
【００１１】
[0010]いくつかの実施形態では、１つまたは複数のサブアンテナは、アクティブマルチモードビームステアリング／ヌルステアリングアンテナ（本明細書では「モーダルアンテナ」と呼ばれる）を備え得る。モーダルアンテナの例は、共同所有された米国特許第９，２４０，６３４号、第８，６４８，７５５号、第８，３６２，９６２号、および第７，９１１，４０２号に記載されており、これらの各々の全内容は参照により本明細書に組み込まれる。
【００１２】
[0011]さらに別の態様では、ＲＦ信号アグリゲータ構成要素またはそれを実装するアンテナシステムを使用して、信号をアグリゲートする方法が開示される。
[0012]他の特徴および利点は、添付の詳細な説明において本明細書に記載される。
【図面の簡単な説明】
【００１３】
【図１】[0013]一実施形態によるＲＦ信号アグリゲータを示す図である。
【図２】[0014]送信および受信機能のために構成されたアンテナシステムを示す図であり、アンテナシステムは、別の実施形態に従ってＲＦ信号アグリゲータを実装する。
【図３】[0015]受信機能のみのために構成されたアンテナシステムを示す図であり、アンテナシステムは、さらに別の実施形態に従ってＲＦ信号アグリゲータを実装する。
【図４】[0016]ＧＰＳまたはＧＬＯＮＡＳＳネットワーク上の複数のソースと通信するための複数の別個の偏波で構成された図３のアンテナシステムを示す図である。
【図５】[0017]それぞれ別個の各ＲＦポートのインピーダンスをアグリゲートおよび／または調整するための送信経路を有効化／無効化するためのアクティブ構成要素を備えるＲＦ信号アグリゲータを示す図である。
【発明を実施するための形態】
【００１４】
[0018]上述の詳細を促進するために、以下の説明は、本明細書に記載され明確に特許請求された本発明を、当業者が認識、作成、および使用できるように提供される。個々の特徴の特定の組合せにより、本発明を実施できる多数の実用的な実施形態が得られ、レビュー者に合理的かつ簡潔な説明を提供するために、ここでは好ましい実施形態のみを提示する。しかしながら、本明細書で明示的に説明されていない他の実施形態は、当業者が過度の実験をすることなく同様に実施できることを認識されたい。したがって、本発明の範囲に関する評価は、本明細書で明確に提供された特許請求の範囲に関連付けられ、その最も広い合理的な解釈で本明細書を考慮し、当該技術分野における通常のレベルの知識およびスキルを考慮に入れて解釈されるべきである。この説明には、本発明の趣旨および範囲を限定することは意図されていない。
【００１５】
[0019]ここでは、上記のように、本開示は、１つまたは複数のアンテナ素子と結合してアンテナシステムを形成するように設計された無線周波数（ＲＦ）信号アグリゲータ構成要素に関し、結果として得られるアンテナシステムは、１００％以上の効率を達成できる。
【００１６】
[0020]それに加えて、アンテナシステムは、アンテナ放射パターンの異なるセクタにおいて、特定の偏波と利得を達成できる。
[0021]ＲＦ信号アグリゲータは、任意の数のそのＲＦポートを動的に有効化または無効化して、アグリゲートするＲＦ入力信号を選択するように機能し得る。
【００１７】
[0022]ＲＦ信号アグリゲータは、好ましくは、集積回路またはモノリシック集積回路（ＩＣ、チップ、またはマイクロチップとも呼ばれる）として製造される。これは一般に、通常はシリコンである、１つの小さな平坦なピース（または「チップ」）の半導体材料における電子回路のセットである。しかしながら、当該技術分野における通常のレベルのスキルに従って、プリント回路または他の回路としてＲＦ信号アグリゲータを実装することが可能である。
【００１８】
[0023]ＲＦ信号アグリゲータ、およびそれを実装するアンテナシステムは、受信側で超効率的なパフォーマンス、たとえば、０ｄＢを達成できる。
[0024]ＲＦ信号アグリゲータは、一般に、アンテナシステムの送信側には適用されないが、受信側でＲＦ信号アグリゲータを実装するアンテナシステムはさらに、たとえば、デュプレクサまたは当業者に知られている他の技法と統合された典型的な送信アンテナを実装し得る。この点に関して、そのようなアンテナシステムは、ＲＦ信号アグリゲータ構成要素を使用してＲＦ信号アグリゲーションを実装することができ、さらに、送信機能をサポートし得る。
【００１９】
[0025]ＲＦ信号アグリゲータは一般に、複数の送信経路を備え、各送信経路は、信号アグリゲータの共通ポートを、その複数の個別ポートのうちの１つに結合し、その結果、個別ポートの各々は、その間に延在する別個の送信経路を経由して共通ポートに結合される。信号アグリゲータはさらに、ＲＦ信号バスを備え、ＲＦ信号バスでは、送信経路の各々がアグリゲートされ、さらに共通ポートに向けられ得る。各個別ポートとＲＦ信号バスとの間にさらに実装されるものは、たとえば、相補型金属酸化物半導体（ＣＭＯＳ）ＲＦ反射型アイソレータまたはフェライトベースの反射型アイソレータなどの反射型アイソレータであり得る。反射型アイソレータは、それぞれの個別ポートの方向への望ましくないフィードバック信号と、それと結合するように構成されたアンテナ素子とを防ぐ働きをする。
【００２０】
[0026]ＲＦ信号アグリゲータ構成要素は、共通ポートと、少なくとも２つであるが最大で任意の数である「ｎ」個の個別ポートとを備え得る。個別ポートの各々は、それぞれのアンテナ素子を結合するように構成される。したがって、各アンテナ素子は、別個の受信信号を取得し、その後、それぞれの個別ポートを介して、別個の受信信号を通信し得る。別個の各受信信号は、望ましくないフィードバックを防ぐために、反射型アイソレータ、または同等のサブ構成要素または回路を通過する。その後、各個別ＲＦポートの別個の信号が、ＲＦ信号バスにおいてアグリゲートされ、受信機またはトランシーバに接続するために共通ポートに結合される。
【００２１】
[0027]いくつかの実施形態では、スイッチまたは他のサブ構成要素が実装され、ＲＦ信号アグリゲータ構成要素は、単一の送信経路、個別ポート、およびアンテナ素子を分離するように適合され、その結果、分離された経路およびアンテナ素子が、信号送信のために利用され得る。そのような実施形態では、信号アグリゲーションは実行されず、むしろ、構成要素は、信号を送信する単一の送信経路（アグリゲートされない）を提供するように逆に構成されることに留意されたい。他の実施形態において、ＲＦ信号アグリゲータは、送信の目的のためにいかなる状態でも利用されず、代わりに、信号アグリゲータ構成要素は、受信機能のみのために実装される。
【００２２】
[0028]たとえば、いくつかの実施形態では、共通ポートは、第１のポート（Ｐ１）とラベル付けできる一方、個別ポートは、第２のポート（Ｐ２）から第ｎのポート（ＰＮ）としてラベル付けされ得る。Ｐ２Ｐ１、Ｐ３Ｐ１、Ｐ４Ｐ１、…、ＰＮＰ１の各組合せは、共通ポートと、別個のＲＦポートのうちの１つとの間の単一の経路（アグリゲートされていない）を表し、そのような経路と、対応する構成とは、送信機能のために使用される。
【００２３】
[0029]パッシブアンテナ素子を、ＲＦ信号アグリゲータのそれぞれの各個別ＲＦポートに結合することが望ましい場合がある。この点に関して、パッシブ素子の組合せは、放射パターンの各セクタにおいて別個の偏波を提供でき、単一のパッシブアンテナ素子では達成できないという利点がある。
【００２４】
[0030]あるいは、受信アンテナ素子および送信アンテナ素子のいずれか１つまたは複数は、当該技術分野ではモーダルアンテナとして知られている、アクティブマルチモードヌルステアリング／ビームステアリングアンテナ素子を備え得る。アクティブマルチモードアンテナ素子はさらに、帯域切替アンテナ、離調効果を調整するためのアクティブインピーダンスマッチングアンテナ、またはビームステアリング／ヌルステアリングアンテナを備え得る。
【００２５】
[0031]ここで、図面を参照すると、図１は、一実施形態によるＲＦ信号アグリゲータ構成要素１０を示す。信号アグリゲータ構成要素１０は、共通ポート１２および複数の個別ＲＦポート１１ａ、１１ｂ、１１ｃ、１１ｄ、…、１１ｎを備える。５つの個別ポートが示されているが、信号アグリゲータ構成要素は、２つ以上の個別ポート、または構成要素自体に物理的に収まり得る限り、多くの個別ポートを備え得る。つまり、１ダース、２０、または１００もの個別ポートになる可能性がある。ここで、５つの個別ポート１１（ａ〜ｄ、ｎ）の各々は、それぞれ別個の送信経路１２（ａ〜ｄ、ｎ）に接続される。各送信経路は、信号バス１４に結合され、信号バスは、共通ポート１２に接続される。サブ構成要素１３ａ、１３ｂ、１３ｃ、１３ｄ、…、１３ｎは、各送信経路１２（ａ〜ｄ、…、ｎ）にそれぞれ結合される。
【００２６】
[0032]サブ構成要素１３（ａ〜ｄ、ｎ）は、好ましくは、ＣＭＯＳ  ＲＦ一方向反射型アイソレータを備え得る。あるいは、サブ構成要素は、３ポートまたは４ポートのＲＦサーキュレータ、アイソレータ、ダイオード、トランジスタ、カプラ、増幅器、またはジャイレータを備え得る。
【００２７】
[0033]図１には示されていないが、ＲＦ信号アグリゲータ構成要素はさらに、構成要素のそれぞれの個別ポートにおいてインピーダンスを補償するための１つまたは複数のインピーダンスマッチング技法またはデバイスを備え得る。この点に関して、各個別ポートをマッチングさせることで、最適な電力伝送を達成し得る。
【００２８】
[0034]それに加えて、共通ポートは、構成要素の共通ポートにおけるインピーダンスを補償するために、インピーダンスマッチング技法またはデバイスで修正され得る。この点に関して、共通ポートをマッチングさせることで、構成要素を介した最適な電力伝送を達成し得る。
【００２９】
[0035]いくつかの実施形態では、図１には示されていないが、ＲＦ信号アグリゲータ構成要素はさらに、受信および送信ストリームを分離するための埋め込みデュプレクサ、サーキュレータ、および／またはスイッチを備え得る。
【００３０】
[0036]図２は、送信および受信機能用に構成されたアンテナシステム１００を示し、アンテナシステムは、ＲＦ信号アグリゲータ１０を実装して示される。ここで、アンテナシステムは、たとえば３ポートサーキュレータなどのＲＦデュプレクサまたはサーキュレータ２０を収容することができ、これらはさらに、（ｉ）ＲＦスイッチ３０、およびその間に接続された１つまたは複数の送信サブアンテナ素子７０ａ、７０ｂと、（ｉｉ）ＲＦ信号アグリゲータ構成要素１０、およびその間に接続された複数の受信サブアンテナ素子６０ａ、６０ｂ、６０ｃ、…、６０ｎとの各々に結合される。ＲＸ伝送ライン８０ｒおよびＴＸ伝送ライン８０ｔが示される。サーキュレータまたはデュプレクサはさらに、トランシーバとさらに接続するためにＲＦコネクタ４０に結合されて示される。
【００３１】
[0037]ＲＦ信号アグリゲータ構成要素は、その体積内に、ＲＦスイッチ、デュプレクサ、またはサーキュレータ、および／またはその中の他のサブ構成要素を含み得るか、または埋め込み得る。あるいは、図示されるように、ＲＦ信号アグリゲータ構成要素は、外部ＲＦスイッチ、デュプレクサまたはサーキュレータ、および他の構成要素と結合された個々および別個の構成要素を形成し、これらの組合せは、アンテナシステムモジュールに一般に収容され得る。
【００３２】
[0038]ＲＦ信号アグリゲータに結合された複数の受信サブアンテナ素子を備えるアンテナシステムは、区別されたアンテナ素子を備え得る。すなわち、受信アンテナ素子の各々は、別個の偏波、利得、放射パターン、およびこれらに関連付けられた共振周波数を個々に備え得る。受信サブアンテナ素子は同じであってもよく、または完全に別個のアンテナを備え得る。
【００３３】
[0039]したがって、アンテナシステムは、典型的なパッシブアンテナ設計では達成できない放射パターン特性を備えることが可能であり、たとえば、円偏波を全方向で達成できるのに対して、パッシブアンテナは単に、その放射パターンのごく一部のセクタにおいてのみ、円偏波を達成できる。
【００３４】
[0040]図３は、受信機能のみのために構成されたアンテナシステム２００を示し、アンテナシステムは、さらに別の実施形態に従ってＲＦ信号アグリゲータ１０を実装する。ここで、受信アンテナシステム２００は、アンテナシステムを実装するためのモジュールの上面に配置された第１のアンテナ素子６０ａと、各々反対側（それぞれ左右）に配置された第２のＲＸアンテナ素子６０ｂおよび第３のＲＸアンテナ素子６０ｃと、それぞれアンテナシステムモジュールの前面および背面に配置された第４および第５のＲＸアンテナ素子６０ｄ、６０ｅとを含む５つのＲＸアンテナ素子を備える。ＲＸアンテナの各々は、ＲＦ信号アグリゲータ構成要素１０の個別ＲＦポートに結合される。構成要素１０はさらに、共通ポートにおいてＲＦコネクタに結合される。
【００３５】
[0041]５つのアンテナが、モジュラアンテナシステムの複数の側面に配置されて示されているが、共通の体積またはモジュールなしでアンテナを提供することが可能である。すなわち、アンテナは、当業者によって理解されるように、支持体または他の手法で相互接続できる。
【００３６】
[0042]図４は、ここでは、ＧＰＳまたはＧＮＳＳネットワークにおける衛星３００ａ、３００ｂ、３００ｃ、３００ｄ、および３００ｅである複数のソースと通信するための複数の別個の偏波２５０ａ、２５０ｂ、２５０ｃ、２５０ｄ、および２５０ｅで構成された図３のアンテナシステム２００を示す。アンテナシステムは、地平線２２５上に配置され、複数のアンテナ素子により、空中の複数の衛星から同時に信号を受信し得る。したがって、示されたアンテナシステムと、開示されたＲＦ信号アグリゲータ構成要素を使用することにより、空中に配置された異なるＧＰＳ／ＧＮＳＳ衛星からの信号を同時に（一緒に）キャプチャできる。
【００３７】
[0043]図５は、別の実施形態に従うＲＦ信号アグリゲータを示し、信号アグリゲータ構成要素は、別個の各ＲＦポートのインピーダンスをそれぞれアグリゲートおよび／または調整するために送信経路を有効化／無効化するためのアクティブ構成要素１５ａ、１５ｂ、１５ｃ、１５ｄ、…、１５ｎを備える。たとえば、アクティブ構成要素は、制御ライン１６を備え得、ここでは、プロセッサは、アクティブ構成要素の各々の状態をリアルタイムで再構成するために、電圧信号などの、アクティブ構成要素に送信される信号を制御し得る。ここで、アクティブ構成要素の状態が、個々に制御され、インピーダンス状態などの調整状態を変更したり、または、たとえば、アクティブ構成要素がスイッチである場合、「オン」／「オフ」特性を変更したりできる。したがって、提供される制御信号と、実装されているアクティブ構成要素のタイプとに応じて、インピーダンスをマッチングさせるか、送信経路を有効化／無効化できる。アクティブ構成要素の例は、電圧制御された調整可能なリアクタンス構成要素またはスイッチを含み得るか、または、ソリッドステートデバイス、ダイオード、トランジスタ、または他の電圧制御された調整可能な構成要素を含み得る。
【００３８】
[0044]さらに別の用途では、本明細書に開示される信号アグリゲータ構成要素に結合された複数の受信アンテナを実装するアンテナシステムを使用して、ＶＨＦ／ＵＨＦ／ＦＭ帯域において信号を取得できる。
【図１】
2020537419.tif 000003
【図２】
2020537419.tif 000004
【図３】
2020537419.tif 000005
【図４】
2020537419.tif 000006
【図５】
2020537419.tif 000007
【国際調査報告】
2020537419.tif 000008
2020537419.tif 000009
2020537419.tif 000010